(57)【要約】【課題】組立工程に於いて、不具合が発生した場合、固定子巻線をはんだ付けにより電気的に接続されている各端子からはんだを取り外し、再接続を行うことになるが、アルミ線自身の強度低下による断線や巻き解きの際の断線などによる巻線の長さ不足などで再接続が出来ず、電動機全体が使用不能となってしまうという課題がある。【解決手段】固定子の巻線にアルミ線を採用している電動機に於いて、端子への巻線接続の際にフレームに設けられた複数個の巻線預けリブへ預けた上で、端子へと接続する。そして再接続する場合には、複数の巻線預けリブのうち、より端子へ近い巻線預けリブへ預けた上で、端子へと接続する。【選択図】図１
2012222891.tif 000002
【特許請求の範囲】
【請求項１】
固定子の巻線にアルミ線を採用している電動機に於いて、端子への巻線接続の際にフレームに設けられた複数個の巻線預けリブへ預けた上で、前記端子へと接続した電動機。
【請求項２】
前記巻線を再接続する場合に、前記フレームに設けられた複数個の前記巻線預けリブのうち、より前記端子へ近い前記巻線預けリブへ預けた上で、前記端子へと接続することを特徴とする請求項１記載の電動機。
【請求項３】
請求項１または２記載の電動機を備えた電気機器。
【発明の詳細な説明】
【技術分野】
【０００１】
本発明は、主に家庭用の調理器などに使用される電動機の固定子巻線の端子への接続構成に関する。
【背景技術】
【０００２】
従来、主に家庭用の調理器などに使用される電動機の中で、特に材料費の抑制の為に、固定子の巻線にアルミ線を採用している電動機に於いて、固定子の巻線を各端子へ接続する際、固定子巻線と各端子との間の渡り線に緩みや垂れが有る場合、渡り線が不必要な所へ接触してしまうといった問題が発生する為、一般には、緩みの無い様に接続されている。
【０００３】
以下に従来の回転ファンを使用した電動送付機の構成について、図を用いて簡単に説明する。図３は、従来の電動機の固定子巻線と各端子への接続状態を表す側面図、図４は、従来の電動機の固定子巻線と各端子への接続状態を表す裏面図である。アルミの巻線が施された電動機の固定子１を挟み込むように対峙したフレームＡ２およびフレームＢ３に、回転自在に電動機の回転子４が、組み込まれており、ブラケットＡ３の長手方向に軸５が伸びている。
【０００４】
また、フレームＢ３には、電動機の固定子巻線を接続する為の端子６及び、ブラシ７への固定子巻線の接続の為の端子８が取り付けられ、固定子巻線が、それらの端子へ巻き付けられ、はんだ付けにより、電気的に接続されている。
【０００５】
なお、電動機の巻線に銅線及びアルミニウム線等を用いることは公知であり、特許文献１には既に絶縁被服銅線及び絶縁被服アルミニウム線を混用した電動機の開示がある。また特許文献２には密閉型コンプレッサーモータの巻線導体が絶縁アルミニウム線であるとの開示がある。また、同じく特許文献３にはアルミニウム線を用いた密閉圧縮機についての開示がある。そして、特許文献４にはその第１図等にモータのコイル端の巻配について接続端部への途中部に巻配の途中部がインシュレータの突起部に架け渡された構成についての開示がある。
【先行技術文献】
【特許文献】
【０００６】
【特許文献１】米国特許第３５１５９１９号明細書
【特許文献２】特公昭５９−１０１４２号公報
【特許文献３】特開２００１−２８０２４９号公報
【特許文献４】実開平４−８０２８１号公報
【発明の概要】
【発明が解決しようとする課題】
【０００７】
前記従来の構成では、組立工程に於いて不具合が発生した場合、固定子巻線をはんだ付けにより電気的に接続されている各端子からはんだを取り外し、慎重に巻き解き、その上、アルミ線表面の酸化被膜の再処理を行った上で再接続を行うことになるが、アルミ線自身の強度低下による断線や巻き解きの際の断線などによる巻線の長さ不足などで、再接続が出来ず、電動機全体が使用不能となってしまうという課題があった。
【０００８】
本発明は上記従来の課題を解決するものであり、組立不具合発生時にも、被覆の再処理も可能で、アルミ線の強度低下も無く、渡り線の緩みも無く接続が可能となる電動機を提
供することを目的とする。
【課題を解決するための手段】
【０００９】
上記課題を解決するために本発明の電動機は、固定子の巻線にアルミ線を採用している電動機に於いて、端子への巻線接続の際にフレームに設けられた複数個の巻線預けリブへ預けた上で、端子へと接続する構成とした。また巻線を再接続する場合に、フレームに設けられた複数個の巻線預けリブのうち、より端子へ近い巻線預けリブへ預けた上で、端子へと接続する構成とした。
【発明の効果】
【００１０】
本発明の電動機によれば、組立不具合発生時の再接続の際にも被覆の再処理も可能で、アルミ線の強度低下も無く、渡り線の緩みも無く接続することが可能となる。
【図面の簡単な説明】
【００１１】
【図１】本発明の実施形態における電動機の固定子巻線と各端子への接続状態を示す側面図
【図２】同電動機の固定子巻線と各端子への接続状態を示す背面図
【図３】従来の電動機の固定子巻線と各端子への接続状態を示す側面図
【図４】従来の電動機の固定子巻線と各端子への接続状態を表す背面図
【発明を実施するための形態】
【００１２】
以下に本発明の電動機の実施形態について図を用いて説明する。図１および図２において、アルミの固定子巻線１ａが施された電動機の固定子１を挟み込むように対峙したフレームＡ２およびフレームＢ３に、回転自在に電動機の回転子４が組み込まれており、ブラケットＡ３の長手方向に軸５が伸びている。
【００１３】
フレームＢ３には、電動機の固定子巻線１ａを接続する為の端子６及びブラシ７への固定子巻線１ａの接続の為の端子８が設けられ、更に端子６へ固定子巻線１ａ接続する前に、固定子巻線１ａを預ける為の巻線預けリブ９が複数設けられている。この固定子巻線１ａは複数の巻線預けリブ９の少なくともひとつに預けられた上で、端子８へ巻き付けられて、はんだ付けにより電気的に接続されている。この構成により固定子巻線１ａと端子６との間の渡り線１ｂに緩みや垂れがないようにしている。
【００１４】
ところで上記のような構成からなる電動機において、渡り線１ｂに緩みの無い様に接続された構成であっても、組立不具合が発生した場合には、固定子巻線１ａをはんだ付けにより電気的に接続されている端子６からはんだを取り外し、慎重に巻き解き、その上、アルミ線表面の酸化被膜の再処理を行った上で再接続を行うことになる。
【００１５】
この際に、図１および２の破線で示すように、複数個設けられた巻線預けリブ９のうち、より端子６に近い巻線預けリブ９のひとつへ固定子巻線１ａを預けた上で、端子６へ接続するようになっている。これにより、アルミ線の被覆の再処理も可能で、アルミ線の強度低下も無く、渡り線の緩みも無く接続が可能となる。
【００１６】
なお、本実施形態に用いたはんだは、アルミニウム及びアルミニウム合金のはんだ付用のはんだであり、本出願の時点で既に市販されているものであり新規なものではない。
【産業上の利用可能性】
【００１７】
本発明は家庭用調理器などに使用される電動機の中で、特に材料費の抑制の為に、固定子の巻線にアルミ線を採用している電動機に於いて、組立不具合発生時の巻線再接続が必要となる電動機に対し有用である。
【符号の説明】
【００１８】
１  固定子
２  フレームＡ
３  フレームＢ
４  回転子
５  軸
６  端子
７  ブラシ
８  端子
９  巻線預けリブ
【図１】
2012222891.tif 000003
【図２】
2012222891.tif 000004
【図３】
2012222891.tif 000005
【図４】
2012222891.tif 000006